(57)【要約】【課題】画像プリント装置のサービスの種類に応じてプリンタ特性を変更可能にし、プリント品質の良い画像プリント装置を提供する。【解決手段】画像プリント装置３は、通常のエンドユーザ向けのプリントモードに加えて、店舗の従業員が処理する証明写真手段２７および保守手段２８からなる店舗手段２６を有する。保守手段２８では、ハードウエア設定により画像プリント装置のプリンタの個体差を考慮した色調設定に加えて、証明写真、インデックスプリント等の各サービスに最適な色調設定が行なえる。プリンタ・ドライバにプリンタの色調設定と各サービスの色調設定を合わせた値を設定し、プリンタを稼動し、最適な色調を得る。【選択図】図１
2008284804.tif 000002
【特許請求の範囲】
【請求項１】
記録メディアに記録された画像データを入力する画像データ読み込み手段と、
前記画像データの印刷方法を選択するサービス選択手段と、
前記画像データを前記サービス選択手段により選択された印刷方法によりプリンタで印刷する印刷手段と、
前記プリンタの印画特性を、個々のプリンタの特性に合わせて補正する第１のプリンタ特性補正手段と、
前記プリンタの印画特性を、前記サービス選択手段により選択された印刷方法に合わせて補正する第２のプリンタ特性補正手段と、
を有することを特徴とする画像プリント装置。
【請求項２】
前記サービス選択手段により選択可能な前記印刷方法には、少なくとも、証明写真、インデックスプリント、フレームプリント、通常プリントがあることを特徴とする請求項１記載の画像プリント装置。
【請求項３】
前記第１のプリンタ特性補正手段により変更可能な前記印画特性は、明るさ、コントラスト、カラーバランス、回転角度であることを特徴とする請求項１記載の画像プリント装置。
【請求項４】
前記第２のプリンタ特性補正手段により変更可能な前記印画特性は、明るさ、コントラスト、カラーバランス、回転角度であることを特徴とする請求項１記載の画像プリント装置。
【請求項５】
コンピュータを、請求項１記載の画像プリント装置として機能させるプログラム。
【発明の詳細な説明】
【技術分野】
【０００１】
本発明は、記録メディア等に保持された所望の画像データをプリントする画像プリント装置に関し、特に、画像プリント装置のサービスの種類に応じてプリンタ特性を変更可能な画像プリント装置に関する。
【背景技術】
【０００２】
現在、利用者が保持する記録メディア等から画像データを読み込んで、所望の画像データをプリントする画像プリントシステムが考案されている。こうした画像プリンタシステムとして、特許文献１がある。
特許文献１の画像プリントシステムは、記録メディア等から画像データを読み込み、顧客ごとに画像データベースに保存し、対応する顧客の顧客データベースの画像データを画像データベースから読み出し、フレームデータベースから読み出したフレームと画像データを合成し印刷する。これによって、利用者が保持する記憶メディア等から所望の画像データを手軽にプリントすることができるようになった。
【特許文献１】特開２００５−１２３９３６号公報
【発明の開示】
【発明が解決しようとする課題】
【０００３】
しかしながら、近年、こうした画像プリントシステムの製品化が活発化し、利用者の満足度を向上させ、他社との差別化を図る必要性が出てきた。
利用者の満足度は、プリント品質やプリント価格、画像プリントシステムの使い勝手等により向上することが可能である。
【０００４】
本発明は、このような問題に鑑みてなされたもので、その目的とするところは、画像プリント装置のサービスの種類に応じてプリンタ特性を変更可能にし、プリント品質の良い画像プリント装置を提供することである。
【課題を解決するための手段】
【０００５】
前述した課題を解決するための第１の発明は、記録メディアに記録された画像データを入力する画像データ読み込み手段と、前記画像データの印刷方法を選択するサービス選択手段と、前記画像データを前記サービス選択手段により選択された印刷方法によりプリンタで印刷する印刷手段と、前記プリンタの印画特性を、個々のプリンタの特性に合わせて補正する第1のプリンタ特性補正手段と、前記プリンタの印画特性を、前記サービス選択手段により選択された印刷方法に合わせて補正する第２のプリンタ特性補正手段と、を有することを特徴とする画像プリント装置である。
前記サービス選択手段により選択可能な前記印刷方法には、少なくとも、証明写真、インデックスプリント、フレームプリント、通常プリントがある。
また、前記第１および第２のプリンタ特性変更手段により変更可能な前記印画特性は、明るさ、コントラスト、カラーバランス、回転角度であることが好ましい。
【０００６】
画像データ読み込み手段は、利用者等が所有する記録メディア内の画像データを画像プリント装置に読み込む。サービス選択手段は、読み込まれた画像データの中でプリントする画像データを選択したうえ、どのような印刷をするかを、例えば、証明写真、インデックスプリント、フレームプリント、通常プリント等から印刷方法を選択させる。
第１のプリンタ特性補正手段は、まず、画像プリント装置に装備されているプリンタ個々のプリンタ特性に合わせて画像データを補正する。さらに、第２のプリンタ特性補正手段は、上記のそれぞれの印刷方法に応じた印画特性を予め設定させておき、印刷時に、サービス選択手段によって選択された印刷方法に応じて、明るさ、コントラスト、カラーバランス、回転角度等のプリンタの印画特性に合わせて画像データを補正する。印刷手段は、第１および第２のプリンタ特性補正手段によって補正された画像データを印刷する。
【０００７】
第２の発明は、コンピュータを、請求項１記載の画像プリント装置として機能させるプログラムである。
【発明の効果】
【０００８】
本発明によれば、画像プリント装置のサービスの種類に応じてプリンタ特性を変更可能にし、プリント品質の良い画像プリント装置を提供することが可能になる。
【発明を実施するための最良の形態】
【０００９】
以下、図面に基づいて本発明の好適な実施形態について詳細に説明する。
まず、図１に沿って、本発明の実施形態に係る画像プリントシステム１のシステム構成を説明する。
【００１０】
図１は、画像プリントシステム１の構成の１例を示すブロック図である。
画像プリントシステム１は、画像プリント装置３、記録メディア５、プリント物７等から構成される。
【００１１】
画像プリント装置３は、さまざまな店舗に設置され、さまざまな記録メディア５に対応した挿入口と、画像データをプリントするプリンタ等を備える。尚、プリンタは、画像プリント装置３と離れた場所に設置され、ＬＡＮ（Ｌｏｃａｌ  Ａｒｅａ  Ｎｅｔｗｏｒｋ）等のネットワークで接続されていても良い。
また、この画像プリント装置３は、利用者が持ち込む記録メディア５に保持された画像データを利用者がセルフサービスでプリントするほか、この画像プリント装置３を設置する例えばカメラ店等の店舗従業員が撮影した顧客の証明写真用画像データを店舗従業員の操作によりプリントしてもよい。
【００１２】
記録メディア５は、利用者あるいは画像プリント装置３を設置する店舗が保持しており、画像データが記録されている。記録メディアは、例えば、ＳＤ（Ｓｅｃｕｒｅ  Ｄｉｇｉｔａｌ：登録商標）メモリーカード、マルチメディアカード（ＭｕｌｔｉＭｅｄｉａＣａｒｄ：登録商標）、メモリースティック（ＭｅｍｏｒｙＳｔｉｃｋ：登録商標）、コンパクトフラッシュ（ＣｏｍｐａｃｔＦｌａｓｈ：登録商標）、スマートメディア（ＳｍａｒｔＭｅｄｉａ：登録商標）、ｘＤピクチャーカード（登録商標）、ｍｉｎｉＳＤ（登録商標）カード、メモリースティックＤｕｏ（ＭｅｍｏｒｙＳｔｉｃｋ  Ｄｕｏ：登録商標）、ＣＤ（ＣＤ−ＲＯＭ、ＣＤ−Ｒ、ＣＤ−ＲＷ）、ＵＳＢメモリ等である。記録メディア５は、画像プリント装置３が備える挿入口に挿入され、画像プリント装置３が画像データを読み込む。
【００１３】
プリント物７は、画像プリント装置３が備えるプリンタによってプリントされる。
【００１４】
画像プリント装置３は、画像データ読込手段２２、プリント手段２３、プリント注文入力手段２４、課金手段２５、店舗手段２６等を備え、店舗手段２６は、証明写真手段２７、保守手段２８等を備える。
【００１５】
画像データ読取手段２２は、予め画像データが記録された記録メディア５から画像データを取得する。
尚、本実施の形態では、画像データ読込手段２２として、記録メディア５から画像データを読み取る手段のみを示しているが、スキャナ装置や撮影装置を装備し、スキャナ装置により画像を読み取る手段や、被写体をデジタルカメラ等の撮影装置により撮影し、画像データを読み取る手段を備えるようにしてもよい。
【００１６】
プリント手段２３は、画像データを印刷する高解像度カラープリンタであり、プリント物７を印刷する。昇華型あるいはインクジェット型など、プリンタの方式は問わない。プリント物７は、デジタルカメラ画像等の写真やシールプリント、はがき等である。
【００１７】
利用者は、プリント注文入力手段２４を通じて、印刷を注文する画像データを選択する。プリント注文乳六手段２４は、例えば、液晶ディスプレイやＣＲＴ（cathode-raytube）等の表示手段と一体化されたタッチパネルや、キーボード、マウス、トラックボール等の各種ポインタを用いることができる。
プリント注文入力手段２４は、画像データ読取手段２２によって取得された画像データのサムネイル画像を表示し、プリント枚数やプリント方法、プリントサイズの指定等を可能にする。利用者は、タッチパネルや各種ポインタを使用して、印刷注文する画像データの選択、プリント方法、プリント枚数、プリントサイズ等を指定する。
【００１８】
課金手段２５は、利用者によるプリント物の注文内容に応じた料金を算出し、利用者に入金を要求する。通常、この課金手段２５による利用者の入金が完了してからプリント手段２３が起動され、注文された画像データの印刷を開始する。
【００１９】
店舗手段２６は、この画像プリント装置３が設置されている店舗の従業員による処理手段であり、例えば、証明写真手段２７、保守手段２８等である。
証明写真手段２７は、店舗に来た利用者が証明写真を必要とする場合に店舗従業員が写真を撮影し、この画像プリント装置３を操作して証明写真を印画し、利用者に提供するものである。
すなわち、店舗従業員がデジタルカメラ等により利用者の証明写真用画像を撮影し、証明写真手段２７を起動して、画像データの読込（画像データ読込手段２２）、プリント注文入力の操作を行なう。これらの操作の後、プリント手段２３により証明写真の印画が行なわれ、プリント物７が得られる。
【００２０】
保守手段２８は、画像プリント装置３の保守を行なうもので、プリント物の種別による価格の設定や、サービス内容の設定、ハードウエアの保守、さまざまなログデータの参照、統計情報の参照等の処理を行う。
【００２１】
次に、図２を参照しながら、画像プリント装置３の外観構成について説明する。図２は、画像プリント装置３の１例の外観斜視図である。
【００２２】
画像プリント装置３の上段部正面には、タッチパネル付モニタ等であるモニタ１１が配置されている。モニタ１１は、操作の案内、操作の状況、読み取った画像等を表示するとともに、タッチパネルを介して入力を行なう。
また、モニタ１１の下には、記録メディア挿入口１２が設けられる。記録メディア挿入口１２は、各種記録メディアの挿入口であり、複数の挿入口が１箇所にまとめて配置されている。
また、画像プリント装置３の筐体内には、上記の各記録メディアの挿入口に対応して、それぞれメディアの読取・書込み装置の本体（図示しない）が設置されている。各挿入口には、料金の徴収が完了するまで記録メディア５を取り出せないようにシャッター（図示しない）や各挿入口に対応するＬＥＤ（図示しない）を備えてもよい。
【００２３】
画像プリンタ装置３の下段部には、料金投入口（硬貨投入口１３、紙幣挿入口１４）、返却レバー１５、返却口１６、レシート取出し口１７、プリント物取出し口１８、スピーカ１９、メンテナンスキー２０、ドア開閉キー２１等がそれぞれ設置されている。
【００２４】
料金投入口（１３、１４）、返却口１６、レシート取出し口１７は、課金手段２５として機能する。
利用者は、硬貨投入口１３に硬貨を投入、または紙幣挿入口１４に紙幣を挿入することにより料金を支払う。釣銭がある場合は、返却口１６から放出される。また、注文を取りやめる場合や硬貨が詰まった場合には返却レバー１５を回すことにより返却口１６から硬貨が放出される。料金を徴収した後、レシート取出し口１８から徴収した金額や注文内容が印刷されたレシートが放出される。画像プリント装置３の筐体内には、レシート取出し口１７に対応してレシート印刷用プリンタ（図示しない）が設けられている。
【００２５】
プリント物取出し口１８からは印刷済みのプリント物が放出される。
画像プリント装置３の筐体内には、プリント物取出し口１８につながる位置にプリンタ本体（図示しない）が設置されている。
【００２６】
利用者は、タッチパネル付モニタ１１により画像の選択やプリントの実行を指示し、指示に従ってプリンタ本体によって印刷され、プリント物取出し物１８から放出されるプリント物７を受け取る。
【００２７】
スピーカ１９は、待機中や操作中に音声指示やＢＧＭ、効果音などを再生する。
メンテナンスキー２０は、画像プリント装置３の保守要員や、画像プリント装置３を設置する店舗の店舗従業員等の管理者が、店舗手段２６の処理を実行する際に使用する切り替えキーである。利用者を受け付けることのできる通常の運転モードと、管理者が証明写真モードの実行や、画像プリント装置３の設定、保守を行なう管理モードを切り替えることが可能である。
ドア開閉キー２１は、画像プリント装置３のドアを開閉するキーである。
【００２８】
また、画像プリント装置３の筐体内には、図示しないが、画像プリント装置３の各構成部分を制御するための制御部を含むコンピュータや、電圧の変換を行なう電源ボックス、停電時に制御部のＣＰＵやハードディスク装置等の破損を防ぐ無停電電源装置等が設けられる。
【００２９】
次に、図３を参照しながら、画像プリント装置３のハードウエア構成について説明する。
図３は、画像プリント装置３のハードウエア構成図である。
画像プリント装置３は、制御部３１、記憶部３３、入力部３５、記録メディア入出力部３７、表示部３９、プリント部４１、課金部４３等がバス４５を介して接続された構成を採る。
【００３０】
制御部３１は、プログラムの実行を行なうＣＰＵ（Ｃｅｎｔｒａｌ  Ｐｒｏｃｅｓｓｉｎｇ  Ｕｎｉｔ）、プログラム命令あるいはデータ等を格納するためのＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成される。制御部３１は、ＲＯＭ、ＲＡＭ、記憶部３３に格納されたプログラムに従ってバス４５に接続された各部分を駆動制御し、画像プリント装置３全体の動作を制御する。
【００３１】
記憶部３３は、ハードディスク装置等であり、画像プリント装置３の動作に必要なプログラムやデータ等が格納されている。プログラムコードは、制御部３１により必要に応じて読み出されＲＡＭに移され、ＣＰＵに読み出されて各種の手段として実行される。
すなわち、記憶部３３には、各構成部分を駆動制御するプログラム、例えば、画像入力プログラム、課金処理プログラム、プリンタ制御用プログラム、レシート印刷処理プログラム、保守プログラム等のプログラムや、画像データ、各種制御データ等が格納されている。
【００３２】
入力部３５は、タッチパネルであり、タッチペン等を備えてもよい。また、管理者用にキーボードやマウス等の入力装置を備えてもよい。
【００３３】
記録メディア入出力部３７は、記録メディア５に対応する挿入口を備えたスロットまたはドライブであり、画像データ読込手段２２の役割を果たす。スロットまたはドライブは、各記録メディア５の仕様に準拠して構成される。また、各挿入口にＬＥＤ（Ｌｉｇｈｔ  Ｅｍｉｔｔｉｎｇ  Ｄｉｏｄｅ）を備え、制御部３１がＬＥＤの店頭、点滅等を制御するようにしてもよい。
【００３４】
表示部３９は、液晶パネル等のディスプレイ装置であり、ディスプレイ装置と連携してコンピュータのビデオ機能を実現するための論理回路等（ビデオアダプタ等）を有する。
【００３５】
プリント部４１は、カラーデジタルフォトプリンタ等のプリンタであり、制御部３１からの命令によりプリンタ・ドライバを駆動し、画像データのプリントを行なう。
課金部４３は、硬貨投入や紙幣挿入の受付、レシートや請求書の発行等を行なう。
【００３６】
次に、図４を参照しながら、画像プリント装置３の処理の詳細について説明する。
図４は、利用者であるエンドユーザが画像プリント装置３を操作して画像データのプリント処理を行わせる処理の流れを示すフローチャートである。
【００３７】
利用者が入力部３５を介して画像プリント処理開始命令を入力すると、制御部３１は、記録メディア５の選択画面を表示部３９に表示する（ステップ１０１）。この表示に従って、利用者は、所持している記録メディア５の種類を選択する。
ここで、制御部３１は、選択された記録メディア５に対応する記録メディア挿入口１２のＬＥＤを点滅させる信号を送信して、利用者にどの挿入口に記録メディア５を挿入すべきか報知するようにしてもよい。これによって、利用者は挿入口を探す手間が省けるとともに、挿入口を誤って記録メディア５の破損等を防ぐことができる。
【００３８】
次に、制御部３１は、記録メディア５の挿入画面を表示部３９に表示し（ステップ１０２）、記録メディア５の挿入を促す。これによって、利用者は、所持している記録メディア５を挿入口に挿入する。
【００３９】
次に、制御部３１は、支払い方法の選択画面を表示部３９に表示する（ステップ１０３）。これに従って、利用者は、支払い方法を選択する。支払い方法は、例えば、現金による支払い、専用カードによる支払い等である。
【００４０】
次に、制御部３１は、プリント物３のサイズ選択画面を表示部３９に表示する（ステップ１０４）。利用者は、プリント物７のサイズを選択する。プリント物７のサイズは、例えば、Ｌ版、２Ｌ版、四つ切等である。
【００４１】
次に、制御部３１は、日付付与の選択画面を表示部３９に表示する（ステップ１０５）。利用者は「日付あり」または「日付なし」を選択する。これにより、「日付あり」が選択された場合には、プリント物７に日付が付与される。
【００４２】
次に、制御部３１は、記録メディア入出力部３７を介して記録メディア５の画像データを読み込み、画像選択画面を表示部３９に表示する（ステップ１０６）。表示方法は、サムネイル形式で複数の画像データを一覧表示する。
利用者は、この一覧表示から、所望の画像データを選択する。
また、制御部３１は、プリントする部数を指定するボタンも併せて表示する。これにより、利用者は、所望のプリント枚数を指定することが可能になる。
【００４３】
次に、制御部３１は、選択された画像データの調整画面を表示部３９に表示する（ステップ１０７）。画像データの調整とは、画像の回転、拡大・縮小、位置調整、明るさ調整、コントラスト調整、自動補正、赤目補正等である。そして、利用者は、調整画面に表示される各種のボタンを選択し、画像データの調整を行なう。制御部３１は、調整後の画像データを記憶部３３に保持する。
尚、調整後の画像データにフレーム画像データを合成することも可能である。
【００４４】
次に、制御部３１は、料金の確認画面を表示部３９に表示する（ステップ１０８）。制御部３１は、指定された部数、指定されたプリント物７のサイズ等から料金を算出し、表示部３９に料金を表示する。これによって、利用者は料金を確認する。
【００４５】
次に、制御部３１は、記録メディア５の取り出し画面を表示部３９に表示し（ステップ１０９）、記録メディア５の取り出しを促す。
次に、制御部３１は、支払い画面を表示部３９に表示し（ステップ１１０）、現金の投入または専用カード等の挿入等を促す。これにより利用者は現金の投入または専用カード等の挿入を行なう。制御部３１は、課金部４３を介して料金の決済を行なう。
【００４６】
次に、制御部３１は、プリントの画面を表示部３９に表示し（ステップ１１１）、プリント物７の出力場所やプリント状況等を報知する。
また、制御部３１は、記憶部３３に保持されている画像データをプリント部４１に送信し、プリント部４１を起動する。プリント部４１は、受信した画像データをプリント物７としてプリントする。
【００４７】
以上の処理により、エンドユーザの持ち込んだ記録メディア５に保持されている画像データのプリントが完了する。
【００４８】
一方、本実施形態の画像プリント装置３は、前述したように、証明写真手段２７および保守手段２８等からなる店舗手段２６を有する。
店舗手段２６への切り替えは、例えば、メンテナンスキー２０により行なう。
制御部３１は、メンテナンスキー２０にキーが挿入されると、画像プリント装置３の動作モードが通常モードから管理モードに変更させると認識し、例えば、図５に示すような店舗メニュー画面１４１を表示部３９に表示する。
【００４９】
店舗メニュー画面１４１には、例えば、店舗の管理者が撮影した顧客の証明写真のプリント処理を行う証明写真１４３と、ハードウエアの保守、顧客に提供するサービスメニューの設定を行なうサービスメニュー設定等を行なう保守１４５、および店舗メニュー画面１４１を終了する終了１４７等の選択ボタンが表示される。
【００５０】
ここで、証明写真１４３を選択すると、制御部３１は、証明写真のプリント処理の処理を実行する。
図６は、証明写真プリント処理の流れを示すフローチャートである。
【００５１】
証明写真は、例えば店舗の従業員がデジタルカメラ等を使用して店舗内の所定の位置で撮影する。
そして、店舗の従業員がメンテナンスキー２０を操作すると、制御部３１は、店舗メニュー画面１４１を表示部３９に表示する。そして、店舗の従業員が証明写真ボタン１４３を選択すると、まず、制御部３１は、記録メディア５の選択画面を表示部３９に表示し、記録メディア５の種類を従業員に選択させる（ステップ２０１）。
【００５２】
次に、制御部３１は、記録メディア５の挿入画面を表示部３９に表示し（ステップ２０２）、記録メディア５の挿入を促す。これによって、従業員が証明写真の画像データを保持している記録メディア５を挿入口に挿入する。
【００５３】
次に、制御部３１は、プリント物３のサイズ選択画面を表示部３９に表示する（ステップ２０３）。サイズは、例えばビザ用の５０ｍｍ×５０ｍｍや、その他の証明写真用の４０ｍｍ×３０ｍｍ等のサイズがあり、さまざまなサイズから選択できるようにボタンが表示される。
【００５４】
次に、制御部３１は、記録メディア入出力部３７を介して記録メディア５の画像データを読み込み、画像選択画面を表示部３９に表示する（ステップ２０４）。表示方法は、サムネイル形式で複数の画像データを一覧表示する。
従業員は、この一覧表示から、証明写真に使用する画像データを選択する。
また、制御部３１は、プリントする部数を指定するボタンも併せて表示する。これにより、プリント枚数を指定することが可能になる。
【００５５】
ここで、プリントサイズの選択（ステップ２０３）と画像読込・選択（ステップ２０４）の順はどちらが先でも良い。
【００５６】
次に、制御部３１は、選択された画像データの調整画面を表示部３９に表示する（ステップ２０５）。画像データの調整とは、画像の回転、拡大・縮小、位置調整、明るさ調整、コントラスト調整、自動補正、赤目補正等である。そして、従業員は、調整画面に表示される各種のボタンを選択し、画像データの調整を行なう。制御部３１は、調整後の画像データを記憶部３３に保持する。
尚、調整後の画像データにフレーム画像データを合成することも可能である。
【００５７】
次に、制御部３１は、記録メディア５の取り出し画面を表示部３９に表示し（ステップ２０６）、記録メディア５の取り出しを促す。
次に、制御部３１は、プリントの画面を表示部３９に表示し、プリント処理を開始する（ステップ２０７）。
すなわち、記憶部３３に保持されている画像データをプリント部４１に送信し、プリント部４１を起動する。プリント部４１は、受信した画像データをプリント物７としてプリントする。
【００５８】
最後に、制御部３１は、プリントした証明写真の種類や枚数により請求金額を算出し、請求書を作成する。この請求書は、レシート用のプリンタによって印刷し、レシート取出し口１７から放出するようにしてもよい。
これによって、従業員は顧客に請求する請求金額が明示された請求書を入手可能になる。顧客にこの請求書を提示し、顧客の支払いが完了したら、証明写真のプリント物を顧客に渡す。
【００５９】
以上の処理によって、証明写真のプリント処理が完了する。
【００６０】
一方、店舗メニュー画面１４１で保守ボタン１４５を選択すると、制御部３１は、例えば、図７に示すような保守メニュー画面５１を表示部３９に表示する。
保守メニュー画面５１には、例えば、ハードウエア設定５３、サービスメニュー設定５５、初期値設定５７、終了５９等の選択ボタンが表示される。
【００６１】
ハードウエア設定５３は、例えば、プリンタのカラー調整や保守、モニタ１１の調整や保守、レシート用プリンタの調整や保守、制御部３１を含むコンピュータの設定、電源回路等の設定や調整、稼動データや保守データの管理や設定を行う。
【００６２】
サービスメニュー設定５５は、例えば、利用者に提供される各種のサービス、例えば、通常プリントやインデックスプリント、フレームプリント等の価格設定や表示設定等の処理を行う。
また、本実施形態の画像プリント装置３では、初期値設定５７ボタンが設けられており、それぞれのサービスにおけるプリンタの調整設定を可能にしている。これについては後述する。
【００６３】
ここで、保守メニュー画面５１でハードウエア設定５３ボタンが選択されたものとする。
図８（ａ）は、ハードウエア設定メニュー画面６１の例である。
ここでは、プリンタ６３およびモニタ６５の選択ボタンが表示されている。
例えば次ページ６７ボタンを選択することで、その他のハードウエア設定ボタンが表示される。
終了ボタン６９が選択されると、制御部３１は、ハードウエア設定を終了する。
【００６４】
ここで、プリンタ６３ボタンが選択されると、制御部３１は、図８（ｂ）に示すようなプリンタ設定メニュー画面７１を表示部３９に表示する。
これは、主に、画像プリント装置３の筐体内に設置されるプリンタのばらつきをなくすために行なう調整で、画像プリント装置３の保守要員等が行なう。これにより、どの画像プリント装置３を使用しても同様の色調のプリントを行なうことが可能になる。
【００６５】
図８（ｂ）に示すように、プリンタの明るさ７３、コントラスト７４、およびカラー調整７５を、例えば、現在の値からのプラスマイナス値で設定することにより調整する。
カラー調整７５は、プリントに使用する３色のインクの色、イエローＹ７６、マゼンダＭ７７、シアンＣ７８のそれぞれについて調整可能である。
同図では、イエローＹ７６の値を−２に調整することを表している。
【００６６】
このプリンタ調整の値は、エンドユーザ処理（図４）のプリント処理（ステップ１１１）時や、証明写真の処理（図６）のプリント処理（ステップ２０７）時に、制御部１１がこの調整値によって画像データを調整することによって反映される。また、別の方法として、プリンタのＳＤＫ（Software Development Kit）でこの調整値を画像データに反映させる処理を行うようにしてもよい。
【００６７】
さらに、本実施形態の画像プリント装置３には、保守メニューとして（図７）初期値設定５７ボタンが設けられている。
これは、提供される各サービスにおけるプリンタの初期値設定を可能にするものである。
例えば、証明写真の場合、店舗内で撮影するため、撮影環境を考慮して、プリンタの設定を調整することを可能にする。
【００６８】
図９は、初期値設定メニュー画面１５１の例である。
通常プリント・サービス１５３、インデックスプリント・サービス１５５、フレームプリント・サービス１５７、証明写真サービス１５９等のサービスを選択するボタンが表示される。
ここで、初期値設定メニューには、これらすべてのサービスを選択可能にする必要はない。例えば、証明写真１５９およびインデックスプリント１５５のみでもよい。
【００６９】
図９の初期値設定メニュー画面１５１で例えばインデックスプリント・サービス１５５を選択すると、制御部３１は、例えば、図１０に示すようなインデックスプリント設定メニュー１６１を表示部３９に表示する。
この設定画面により、インデックスプリントにおけるプリントの明るさ１６３、コントラスト１６５、カラー調整１６６が可能になる。カラー調整は、イエローＹ１６７、マゼンダＭ１６８、シアンＣ１６９の各色について調整できる。
同図では、インデックスプリントをくっきりとプリントするためコントラストを上げる（＋５）調整を行なうことを示している。
【００７０】
また、図９の初期値設定メニュー画面１５１で証明写真サービス１５９が選択されると、制御部３１は、例えば、図１１に示すような証明写真の初期値設定画面１７１を表示部３９に表示する。
この設定画面により、画像データの回転角度１７３、明るさ１７４、コントラスト１７５、およびカラーバランス（カラー調整）１７６を調整できる。
証明写真は店舗内で従業員が撮影するため、店舗内の証明環境や従業員の経験やノウハウ等を合わせた調整が行なわれる。
ここでは、例えば、店舗内がやや暗いことを考慮して明るさを＋５にし、従業員の経験から、映りの良い色合いを得るためにカラーバランスのイエローＹを＋３にする調整を行なうことを示している。
【００７１】
ＯＫボタン１７７を選択することにより、調整データの入力を完了する。一方、キャンセル１７８が選択されると、初期値設定を行なわずに初期値設定処理を終了する。
【００７２】
これらの調整データは、実際のプリント処理（ステップ１１１およびステップ２０７）時に印画画像に反映される。
すなわち、制御部３１が印画する画像データに対してこれらの調整データを使用した補正処理を実行する。
図１２は、補正処理の流れを示すフローチャートである。
【００７３】
プリンタ・ドライバの稼動時に、制御部３１は、まず、図８（ｂ）のプリンタ設定メニュー７１で設定された値を読み込む。この値は、画像プリント装置３のプリンタの個体差をなくすための調整であり、主に保守要員により画像プリント装置３の設置時に行なわれる調整である。
ここでは、（明るさ、コントラスト）＝（０，０）、カラーバランス（Ｙ，Ｍ，Ｃ）＝（−２、０、０）である。
そして、この値で、記憶部３３に格納されているプリントを行う画像データを補正する（ステップ３０１）。
【００７４】
次に、制御部３１は、プリント処理が証明写真サービスか否かを判定する（ステップ３０２）。
証明写真サービスの場合は（ステップ３０２のＹｅｓ）、まず、図１１に示した証明写真用設定を読み込む。
ここでは、（明るさ、コントラスト）＝（＋５，０）、カラーバランス（Ｙ，Ｍ，Ｃ）＝（＋３、０、０）である。
【００７５】
この補正により、証明写真に最適な明るさ、コントラスト、カラーバランスの印刷が可能になる。
【００７６】
一方、ステップ３０２において証明写真サービスではない場合（Ｎｏ）は、サービスがインデックスプリント・サービスか否かを判定する（ステップ３１０）。
インでクスプリント・サービスの場合は（ステップ３１０のＹｅｓ）、図９１０に示したインデックスプリント設定の値を読み込む。
ここでは、（明るさ、コントラスト）＝（０，＋５）、カラーバランス（Ｙ，Ｍ，Ｃ）＝（０、０、０）である。
そして、この値で、記憶部３３に格納されているステップ３０１によるプリンタ毎の個体差をなくすための調整後の画像データを補正する（ステップ３１１）。
【００７７】
この補正により、インデックスプリントに最適な明るさ、コントラスト、カラーバランスの印刷が可能になる。
【００７８】
さらに、ステップ３１０においてインデックスプリント・サービスではない場合（Ｎｏ）は、ユーザ設定があるか否かを判定する（ステップ３２０）。
すなわち、例えば通常プリントやフレームプリントであると見なし、図４のエンドユーザ処理における画像データの調整（ステップ１０７）処理において、プリンタの明るさやコントラストの調整があったか否かを判定する。
ユーザ設定がない（ステップ３２０のＮｏ）場合は、プリンタに補正済みの画像データを送り（ステップ３０４）、プリンタを稼動する。
【００７９】
一方、ユーザ設定がある（ステップ３２０のＹｅｓ）場合は、ユーザ設定を読み込む。今、（明るさ、コントラスト）＝（＋１、＋１）、（−２、０、０）であるとする。
そして、この値で、記憶部３３に格納されているステップ３０１によるプリンタ毎の個体差をなくすための調整後の画像データを補正する（ステップ３２１）。
そして、プリンタに補正済みの画像データを送り（ステップ３０４）、プリンタを稼動する。
【００８０】
この補正により、最適な明るさ、コントラスト、カラーバランスの印刷が可能になる。
【００８１】
以上のように、サービスメニューごとに、プリンタの色調の設定を行なえるようにすることにより、各サービスメニューごとに最適な品質のよいプリント物７を得ることが可能になる。
【００８２】
尚、本発明は、前述した実施の形態に限定されるものではなく、種々の改変が可能であり、それらも、本発明の技術範囲に含まれる。
【図面の簡単な説明】
【００８３】
【図１】本実施形態に係る画像プリント装置３の機能構成を示す図
【図２】本実施形態に係る画像プリント装置３の外観斜視図
【図３】画像プリント装置３のハードウエア構成図
【図４】エンドユーザ処理の流れを示すフローチャート
【図５】店舗メニュー画面１４１の説明図
【図６】証明写真処理の流れを示すフローチャート
【図７】保守メニュー画面５１の説明図
【図８】ハードウエア設定メニュー画面６１（図８(ａ)）およびプリンタ設定メニュー画面７１（図８（ｂ））の説明図
【図９】初期値設定メニュー画面１５１の説明図
【図１０】インデックスプリント設定画面１６１の説明図
【図１１】証明写真の初期値設定画面１７１の説明図
【図１２】補正処理の流れを示すフローチャート
【符号の説明】
【００８４】
１………画像プリントシステム
３………画像プリント装置
５………記憶メディア
７………プリント物
２２………画像データ読込手段
２３………プリント手段
２４………プリント注文入力手段
２５………課金手段
２６………店舗手段
２７………証明写真手段
２８………保守手段
【図１】
2008284804.tif 000003
【図２】
2008284804.tif 000004
【図３】
2008284804.tif 000005
【図４】
2008284804.tif 000006
【図５】
2008284804.tif 000007
【図６】
2008284804.tif 000008
【図７】
2008284804.tif 000009
【図８】
2008284804.tif 000010
【図９】
2008284804.tif 000011
【図１０】
2008284804.tif 000012
【図１１】
2008284804.tif 000013
【図１２】
2008284804.tif 000014